(57)【要約】  １つの映像プレーヤ及びトランスミッタを利用してコンテンツを複数の電子ディスプレイに表示するシステムである。数台のディスプレイが動的映像を表示し、残りのディスプレイが静的画像を表示することがある。代替的に、すべてのディスプレイが静的画像を表示していることがある。プレーヤは、適切なフレームを適切なディスプレイに表示することをシステムに命令する固有のディスプレイ識別子で符号化される映像フレームを提供する。トランスミッタは、ディスプレイ・レシーバと無線又は有線で電気通信することがある。有線方式実施形態を使用する場合、ディスプレイは、必要とされるワイヤ／ケーブルの長さを短縮するため一緒にデイジーチェインされることがある。
2012504379.tif 000002
【特許請求の範囲】
【請求項１】
多数の電子ディスプレイにコンテンツを表示するシステムであって、
複数のフレームを出力することによって少なくとも１つの映像ストリームを生成するプレーヤと、
前記プレーヤと電気通信しているとともに前記複数のフレームの各々を１つ以上のディスプレイ識別子で符号化するトランスミッタと、
前記トランスミッタと電気通信している複数のレシーバと、
前記複数のレシーバの各々と電気通信している電子ディスプレイと、
を備えており、
前記複数のフレームは各映像ストリームに対応しており、
前記複数のレシーバは、前記トランスミッタから前記各フレームを受信し、前記各フレームのディスプレイ識別子を分析し、
前記複数のレシーバは、前記ディスプレイ識別子が許可可能な場合には前記各フレームを許可し、前記ディスプレイ識別子が許可可能でない場合には前記フレームを拒否し、
前記電子ディスプレイは、許可された前記各フレームを表示することを特徴とするシステム。
【請求項２】
前記複数のレシーバの各々は単一の固有のディスプレイ識別子に対応している請求項１に記載のシステム。
【請求項３】
前記電子ディスプレイは、現在のフレームが拒否された場合、以前に許可されたフレームを繰り返す請求項１に記載のシステム。
【請求項４】
前記システムは、更に、前記電子ディスプレイと電気通信しているとともに以前に許可されたフレームを記憶する記憶媒体を備える請求項３に記載のシステム。
【請求項５】
前記システムは、更に、前記プレーヤと電気通信しているとともに前記各フレームを圧縮する圧縮装置を備える請求項１に記載のシステム。
【請求項６】
前記トランスミッタと前記複数のレシーバとの間の前記電気通信は無線電機通信である請求項１に記載のシステム。
【請求項７】
前記トランスミッタと前記複数のレシーバとの間の前記電気通信はＣＡＴ５ケーブルによって提供される請求項１に記載のシステム。
【請求項８】
多数の電子ディスプレイにコンテンツを表示するシステムであって、
パラレルデータストリームとして複数の映像フレームを供給するプレーヤと、
前記プレーヤと電気通信しているとともに、前記パラレルデータストリームをシリアルデータストリームに変換するシリアライザ回路と、
前記シリアライザ回路と電気通信しているとともに前記シリアルデータストリームを送信するトランスミッタと、
前記トランスミッタと電気通信しているとともにディスプレイ識別子を有している第１ディスプレイアセンブリと、
前記第１ディスプレイアセンブリの第１ディスプレイ・トランスミッタと電気通信しているとともにディスプレイ識別子を有している第２ディスプレイアセンブリと、
を備えており、
前記複数の映像フレームの各々はディスプレイ識別子を有しており、
前記第１のディスプレイアセンブリは、
前記シリアルデータストリームを受信する第１ディスプレイ・レシーバと、
受信された前記シリアルデータストリームをパラレルデータストリームに変換する第１ディスプレイ・デシリアライザと、
前記パラレルデータストリームの中の各映像フレームの前記ディスプレイ識別子を分析し、前記映像フレームの前記ディスプレイ識別子が前記第１ディスプレイアセンブリの前記ディスプレイ識別子と一致する場合には前記映像フレームを許可し、前記映像フレームの前記ディスプレイ識別子が前記第１ディスプレイアセンブリの前記ディスプレイ識別子と一致しない場合には前記映像フレームを拒否する第１ディスプレイ中央処理装置と、
映像フレームが許可された場合には前記映像フレームを表示し、映像フレームが拒否された場合には以前に許可された映像フレームを表示する第１ディスプレイと、
前記パラレルデータストリームをシリアルデータストリームに変換する第１ディスプレイ・シリアライザと、
前記シリアルデータストリームを送信する前記第１ディスプレイ・トランスミッタと、
を備えており、
前記第２ディスプレイアセンブリは、
前記シリアルデータストリームを受信する第２ディスプレイ・レシーバと、
受信された前記シリアルデータストリームをパラレルデータストリームに変換する第２ディスプレイ・デシリアライザと、
前記パラレルデータストリームの中の各映像フレームの前記ディスプレイ識別子を分析し、前記映像フレームの前記ディスプレイ識別子が前記第２ディスプレイアセンブリの前記ディスプレイ識別子と一致する場合には前記映像フレームを許可し、前記映像フレームの前記ディスプレイ識別子が前記第２ディスプレイアセンブリの前記ディスプレイ識別子と一致しない場合には前記映像フレームを拒否する第２ディスプレイ中央処理装置と、
映像フレームが許可された場合には前記映像フレームを表示し、映像フレームが拒否された場合には以前に許可された映像フレームを表示する第２ディスプレイと、
前記パラレルデータストリームをシリアルデータストリームに変換する第２ディスプレイ・シリアライザと、
前記シリアルデータストリームを送信する第２ディスプレイ・トランスミッタと、
を備えていることを特徴とするシステム。
【請求項９】
前記システムは、更に、前記第１ディスプレイアセンブリ及び前記第２ディスプレイアセンブリの各々の内部に、前記各ディスプレイアセンブリの前記ディスプレイを同期させるクロック・クリーナを備える請求項８に記載のシステム。
【請求項１０】
前記各シリアルデータストリームの送信がＣＡＴ−５ケーブルで行われる請求項８に記載のシステム。
【請求項１１】
１つ以上のディスプレイ識別子で符号化された複数の映像フレームを受信して表示するシステムであって、
複数のレシーバと
前記複数のレシーバの各々と電気通信している電子ディスプレイと、
を備えており、
前記各レシーバは１つ以上のディスプレイ識別子に対応しているとともに前記複数の映像フレームを受信して前記複数の映像フレームの各々のディスプレイ識別子を分析し、前記ディスプレイ識別子が一致する場合には前記映像フレームを許可し、前記ディスプレイ識別子が一致しない場合には前記映像フレームを拒否し、
前記電子ディスプレイは、前記映像フレームが許可された場合には前記映像フレームを表示し、前記映像フレームが拒否された場合には以前に許可された映像フレームの表示を繰り返すことを特徴とするシステム。
【請求項１２】
前記システムは、更に、前記電子ディスプレイと電気通信しているとともに以前に許可された映像フレームを記憶する記憶媒体を備える請求項１１に記載のシステム。
【発明の詳細な説明】
【技術分野】
【０００１】
典型的な実施形態は、映像及び音声コンテンツを複数台のディスプレイに供給するシステム及び方法に関する。
【背景技術】
【０００２】
静的映像と動的映像の混合物をある程度の台数の異なるディスプレイに表示できることが望ましいことがよくある。これまでのところ、これは、複数台のプレーヤ及びトランスミッタの使用によって実現されることになる。各ディスプレイは、個別かつ固有のプレーヤ及びトランスミッタがこのディスプレイに関連付けられている。
【発明の開示】
【発明が解決しようとする課題】
【０００３】
コンテンツを複数のディスプレイに供給するこれまでのシステムは、扱いにくく、かつ、費用がかかる。プレーヤ及びトランスミッタを各ディスプレイと関連付ける必要性がコストを著しく増加させた。さらに、すべてのプレーヤ及びトランスミッタを収容することが要求される空間は大規模である。従って、動的映像及び静的映像の両方を含むことがあるコンテンツが単一のプレーヤだけを使用して複数のディスプレイに表示されることを可能にするより効率的なシステムの必要性がある。
【課題を解決するための手段】
【０００４】
システムは、この場合、単一のプレーヤ及びトランスミッタを使用して動的映像及び静的映像の両方を複数のディスプレイに供給する。このシステムの典型的な実施形態は、シングル出力を有するプレーヤを提供する。映像フィードはトランスミッタに送信される。トランスミッタは、その後、各ディスプレイと関連付けられたレシーバを経由して映像フィードを複数のディスプレイに送信する。各ディスプレイ上で異なるコンテンツを実現するため、映像プレーヤ又はトランスミッタは、ディスプレイ識別子と共に映像フレームのデータヘッダを埋め込む。各ディスプレイと関連付けられたレシーバは、映像フレームの中に埋め込まれたディスプレイ識別子を読み取る。ディスプレイ識別子が関連付けられたディスプレイのための識別子（又は関連付けられたディスプレイのための識別子のうちの１つ）と一致する場合、画像が表示される。識別子が一致しない場合、レシーバは画像をディスプレイに表示しない。ディスプレイは、新しい画像を取得するまで、このディスプレイが受信した最後の画像を表示し続ける。
【０００５】
静的映像（静止画像）に加えて、動的映像が映像プレーヤに供給されることがある。この実施形態では、プレーヤは、ビデオのフレームを取得し、静的ディスプレイのうちのいずれかを更新することがある。これは、単一のプレーヤが複数の静的画像を生成し、その間に、少なくとも１台のディスプレイに動的映像を再生することを可能にする。ディスプレイは、ＬＣＤ、ＯＬＥＤ、ＬＥＤ、プラズマ、投影ディスプレイ、発光ポリマー、エレクトロルミネセンス、又は、どのような他の適当な電子ディスプレイでもよいことが理解されるであろう。さらに、コンポーネントは、用途に依存して互いに有線又は無線通信することがある。典型的な実施形態は、トランスミッタと種々のディスプレイ・レシーバとの間に無線通信を提供することがある。
【０００６】
他の典型的な実施形態では、プレーヤは、一方の出力が動的映像に専用であり、もう一方の出力が静的ディスプレイをリフレッシュするため使用されることがあるデュアル出力を有してもよい。これらの実施形態のうちの一部では、動的映像は、フレームのヘッダの中に識別子を有していないことがある。静的画像フィードは、しかし、ヘッダの中に埋め込まれた識別子を有していることが依然として必要である。
【０００７】
これらのシステムは、レストランにおいてメニューボードを表示する、又は、公衆エリアにおいて素材を広告する費用対効果に優れた方法を提供することがある。このシステムは、一部のディスプレイに動的映像フィードを供給し、同時に静的画像を他のディスプレイに供給することがある。これまでのアプローチから複数のコンポーネントを取り除くことにより、このシステムは、これまでのシステムが非常にコスト高であると考えられていた場所で用いるため費用対効果が優れていることがある。典型的な実施形態は、単一のプレーヤ及びトランスミッタを使用して多数のディスプレイにコンテンツを表示する能力がある顕著な利点を有している。
【０００８】
当業者は、映像と関連付けられた音声もまた同じようにディスプレイに供給されることがあることをさらに理解するであろう。ここで説明されたシステムは、映像バッファをさらに利用することがある。この点で映像バッファシステムを用いる実施形態を使用することは、ディスプレイ・レシーバへの信号送信に中断が存在する場合に映像が継続して表示されることを確実にする。ここで説明されたシステムは、デイジーチェイン配線方法をさらに利用することがある。この方法は、この点で典型的な実施形態の有線設備のため必要とされることになる物理的なワイヤ／ケーブルの量を削減する。ディスプレイは、各ディスプレイから元のトランスミッタへ戻るワイヤ／ケーブルを有しているのではなく、互いに繋がれる（デイジーチェインされる）。
【０００９】
発明の他のシステム、方法、特徴及び利点は、以下の図面及び詳細な説明を検討し次第、当業者に明白であり、又は、明白になるであろう。すべてのこのようなさらなるシステム、方法、特徴及び利点は、明細書本文の中に含まれ、かつ、発明の本発明の範囲内に含まれることが意図されている。
【図面の簡単な説明】
【００１０】
【図１】コンテンツを複数のディスプレイに提供する従来の手法を例示する図。
【図２】単一出力プレーヤを利用してコンテンツを複数のディスプレイに供給するシステムの典型的な実施形態を例示する図。
【図３】多数出力プレーヤを利用してコンテンツを複数のディスプレイに供給するシステムの典型的な実施形態を例示する図。
【発明を実施するための形態】
【００１１】
以下の説明は、発明の実施形態の一例を示した図面の説明を伴う。図面に示された実施例は、本願発明を限定するものではなく本願発明の一例として理解されたい。
【００１２】
これまでのデジタル信号系は、コンテンツを複数のディスプレイに供給するために複雑な配線、多数のコンポーネント、及び、かなりの空間を必要としていた。図１は、これまでのコンテンツ配信システムを示す。従来、変化するコンテンツを複数のディスプレイに表示するため、各ディスプレイは、このディスプレイの独自のプレーヤ及びトランスミッタを必要としていた。この構成は、コストが高く、かつ、大きい空間を占めていた。
【００１３】
複数のディスプレイのうちの一部が静的コンテンツを収容し、他のディスプレイが動的コンテンツを収容する複数のディスプレイを有するデジタル系用途では、
（図１に示されるように）各ディスプレイと関連付けられた個別のプレーヤと対比して、（図２に示された）単一のプレーヤ１０がすべてのディスプレイのためのコンテンツを制御することが可能である。図２は、単一の音声・映像プレーヤ１０（以下、「プレーヤ」と称する）が複数のディスプレイ２２、２４、２６及び２８を更新するため使用されることがあるシステムの典型的な実施形態を例示する図である。図２でわかるように、プレーヤ１０は、トラスミッタ１２と通信することがある。トランスミッタ１２は、有線（例えば、ＣＡＴ−５ケーブル若しくは何らかの他の適当なワイヤ）又は無線接続のいずれかを使用して複数のレシーバ１４、１６、１８及び２０とさらに通信することがある。
【００１４】
各レシーバ１４、１６、１８及び２０は、それぞれのディスプレイ２２、２４、２６及び２８と通信することもある。ディスプレイ２２、２４、２６及び２８は、異なるディスプレイ識別子を各ディスプレイに割り当てることにより個別にアドレス指定可能である。代替的に、１台のディスプレイが複数の識別子と関連付けられることがある。４台のレシーバ１４、１６、１８及び２０と４台のディスプレイ２２、２４、２６及び２８を有していることが図示されているが、任意の台数のディスプレイ及びレシーバが同じようにこのトランスミッタ１２に接続されることがある。
【００１５】
単一のプレーヤ１０を使用してコンテンツを複数のディスプレイ２２、２４、２６及び２８に供給するため、プレーヤ１０は、表示されるべき映像（そして、時には、音声）コンテンツを供給する。プレーヤ１０は、静的映像（静止画像）だけ、動的映像だけ、又は、両方のタイプの映像の混合物を供給することができる。最初に、システムは、両方のタイプの映像の混合物に関して説明されるが、典型的なシステムは、一方又はもう一方だけを表示することもできることが容易に認められるであろう。
【００１６】
動的映像は、典型的に、映像源、システムの帯域幅、及び、動的映像が表示される電子ディスプレイに依存することがある特定のフレームレートで出力される。例えば、３０ｆｐｓの映像の場合、３０フレーム（画像）が１秒毎に供給される。特有のセットアップに依存して、プレーヤ１０又はトランスミッタ１２は、動的映像信号を各フレームに分割し、その後、各フレームを圧縮することがある（圧縮は、映像データの帯域幅及びサイズに依存して、ある種のシステムに対して必要でないことがある）。中央処理ユニット（ＣＰＵ）は、これらの機能を実行するため使用されることがあり、ＣＰＵは、別個のユニットでもよく、又は、プレーヤ１０又はトランスミッタ１２の中に組み込まれることがある。圧縮方法に関して、ＪＰＥＧ、ＭＰＥＧ又はＪＰＥＧ  ２０００は、フレーム／画像圧縮のための共通フォーマットであるが、他のタイプの圧縮が使用されてもよい。
【００１７】
プレーヤ１０又はトランスミッタ１２は、ヘッダを各フレームと関連付けることがある。ヘッダは、フレームを伸長する命令及びフレームを再組み立てする命令を含む種々の情報のビットを収容することがある。さらに、プレーヤ１０又はトランスミッタ１２は、フレーム毎に１つ以上のディスプレイ識別子をヘッダの中に符号化することがある。ディスプレイ識別子は、このようにして、どのディスプレイがどの画像を表示すべきであるかをシステムに命令する。フレーム及びヘッダは、全体的に「パケット」として知られている。
【００１８】
トランスミッタ１２は、その後、パケットをレシーバ１４、１６、１８及び２０の１つずつにブロードキャストすることがある。パケットを受信し次第、レシーバ１４、１６、１８及び２０は、その後、ヘッダ内部に収容されている情報を読み取ることがある。ヘッダの中のディスプレイ識別子がレシーバ１４、１６、１８及び２０と関連したディスプレイ２２、２４、２６及び２８の識別子のうちの１つと一致する場合、レシーバは、その後に、（必要に応じて）パケットを伸長し、画像を関連付けられたディスプレイに送信することがある。
【００１９】
ディスプレイ識別子が関連付けられたディスプレイのディスプレイ識別子と一致しない場合、フレームは、ディスプレイ２２、２４、２６及び２８に表示されない。各レシーバ１４、１６、１８及び２０は、一致するディスプレイ識別子を有している新しいパケットが受信されるまで、前に受信された画像情報を継続して送信する。これを実現するため、レシーバ１４、１６、１８及び２０、又は、ディスプレイ２２、２４、２６及び２８は、最後の一致する映像フレームを保持するために記憶媒体を有することがある。このように、静的画像は、１つのフレームの間に特有のディスプレイ（又は複数のディスプレイ）に送信されることがあり、この画像は、別の画像が送信されるまで、選択されたディスプレイ（又は複数のディスプレイ）上に残存することがある。例えば、広告用ディスプレイでは、静的画像は、所定の時間（３０秒、６０秒など）に亘ってディスプレイに残存することがあり、企業は、正確にこの企業の広告が表示された時間の代金を広告会社に支払うことができる。情報の目的（即ち、空港ターミナル及びスポーツ競技スコア）のため、ディスプレイは、表示される情報が変更される（即ち、空港における遅延／新規到着又はスコア記録が変化する）ときはいつも新しい静的画像を使って更新されることがある。このように、１秒当たりに多数のパケット／フレームを送出する能力をもつシステムを用いると、多数のディスプレイが単一のロケーションを経由して制御でいることが容易にわかる。
【００２０】
各レシーバ及び／又はディスプレイと電気通信する映像バッファ（記憶媒体）が存在することがある。ある種の映像バッファは、表示するための多量の映像データを記憶できることがある。この点で映像バッファシステムを含む実施形態を使用することは、ディスプレイ・レシーバへの信号送信に中断が存在する場合に動的映像が継続して表示されることを確実にする。
【００２１】
前述されたように、ディスプレイ２２、２４、２６及び２８のうちの少なくとも１台に静的画像ではなく動的映像を表示することが望ましいことがある。これを実現するため、各動的映像パケットのヘッダは、動的映像を表示すべき（複数の）ディスプレイのためのディスプレイ識別子を収容することになる。静的コンテンツを表示する残りのディスプレイは、動的映像の１フレームの代わりに静的画像の１フレームを用いることにより更新された画像を受信することがある。換言すると、動的映像が毎秒３０フレームで転送されている場合、特有のディスプレイ上の静的画像を変更するため、プレーヤ１０は、１秒の中で２９フレームの動的映像及び１フレームの静的画像を供給することになる。動的映像を表示しているディスプレイは、静的画像更新が送信されている間に、単に前のフレームを繰り返すことになる。新しい動的映像のフレームの不在は、（仮に顕著であるとしても）観察者に殆ど気付かれることがない。このことは、（３０ｆｐｓを超える）より高いフレームレートの場合に特に事実である。直前に記載されたように、前のフレームが繰り返されるので、顕著になる「空白画面」又は「フリッカ」は存在しないことになる。動的映像の破壊は、動的映像の休止中に、又は、画像の中に動き若しくは変化が殆ど存在しない動的映像の１こまの間に静的画像を更新することによりさらに低減されることになる。これらの状況では、周囲のフレームはほぼ同一であるので、前のフレームを繰り返すことが、観察者に気付かれることはさらに少なくなることになる。
【００２２】
異なる実施形態は、異なるレートでパケットを送信することがある。よって、少なくとも１台のディスプレイに動的映像を表示している実施形態は、比較的高頻度で（例えば、毎秒３０、６０、又は、これ以上／これ以下のパケットに依存して）パケットを送信していることがある。しかし、静的映像だけを表示している実施形態は、比較的低頻度でパケット（例えば、３０秒、６０秒、又は、これ以上の時間毎に１つのパケット）を送信することがある。さらに、一部の実施形態は、静的映像だけの期間が後に続くある程度の期間に動的映像を表示することがある。このことは、特に、一部の企業が動的映像広告を有し、他の企業が静的映像広告を有している広告システムにおいて行われることがある。これらのシステムでは、パケット送信が毎秒３０回ずつ行われる期間と、その後に続くパケット送信が毎分１回しか行われない期間とが存在することがある。
【００２３】
図３は、２出力を有する単一の音声・映像プレーヤ４０が動的映像及び静的画像の両方の組み合わせを表示する複数のディスプレイ２２、２４、２６及び２８を更新するため使用されることがあるシステムの別の実施形態を例示する図である。この場合も、プレーヤ４０は、複数のレシーバ１４、１６、１８及び２０と同様に通信することがあるトランスミッタ１２と通信することがある。プレーヤ４０は、少なくとも１台のディスプレイのためのトランスミッタ１２への動的映像フィードを出力し、その上、静的画像を表示する残りのディスプレイを更新するため使用される第２のデータフィードをさらに出力する。これらの配置のタイプでは、動的映像は、大半のディスプレイのための「デフォルト」として使用されることがある安定した映像のストリームでもよく、静止画像は、動的映像のデフォルトへの上書きとして送信されることがある。これらの実施形態は、テレビジョンフィードが時々発生する静的画像と共にかなり一貫して使用される場合に使用されることがある。例えば、バー又はレストランは、（最も高い可能性でスポーツ競技又は他の人気のある放送が表示されることがある夜間に）長時間に亘ってテレビジョン放送を表示することを望むことがある。しかし、他の時間帯に、バー又はレストランは、（例えば、人気のある放送が表示されていない日中のように）広告目的のため、又は、メニューボード若しくはお薦め料理のための静的画像を表示することを選択することがある。これらの実施形態の場合、図３における配置は、動的映像の各フレームがディスプレイ識別子と共に符号化されること（及び、時には圧縮されること）を必要としないので、有利であることがある。それどころか、安定したストリームがデフォルトとして送信され、デフォルト動的映像を上書きするために時折発生する静的画像パケットがストリームの中に差し挟まれることが可能である。このように、これらの実施形態は、より安価な設備が使用できるように、プレーヤ及びトランスミッタによって必要とされる処理速度／パワーが低下されることがある。さらに、動的映像は、圧縮のため現れるようになることがある望ましくないアーティファクトを防止するために非圧縮フォーマットでより容易に送信されることがある。
【００２４】
残りのディスプレイ２２、２４、２６及び２８を更新するため指定された静的映像出力が前述されたのと同様に符号化されることがある。しかし、動的映像ストリームがデフォルトとして使用される場合、静的パケットの上書きは数通りの形式を呈することになる。第１の形式は、（別の静的パケットが送信されるか、又は、動的映像の表示に戻るようディスプレイに命令する命令パケットが送信されるまで）無期限に表示されることが予定されたパケットを送信することになる。第２の形式は、（動的映像デフォルトへ戻るまで）静的画像が表示されるべき期間を詳細に記述する命令を静的パケットヘッダの中で供給することになる。当然ながら、図３に関連して記載された実施形態は、２出力をもつ単一のプレーヤではなく、２台の別個のプレーヤ（動的映像のための１台と静的画像のためのもう一台）をさらに収容することがある。
【００２５】
トランスミッタ１２と種々のディスプレイのためのレシーバとの間の電気接続は、有線接続でも無線接続でもよい。無線接続を使用する場合、無線ルータがパケットを種々のレシーバへ送信することができ、非常に簡単かつ無駄のない設備という結果をもたらす。有線接続を使用する場合、実際のワイヤがトランスミッタ１２から種々のレシーバへ通されることが依然として必要になる。多数のディスプレイを収容する設置では、そして、特に、ディスプレイがトランスミッタ１２から遠くに位置している場合、設置費用及び配線自体が非常に高価になる可能性がある。よって、デイジーチェイン（daisy chain）技術が使用される可能性がある。この技術を使用すると、レシーバは、一緒に「デイジーチェイン」されることがあるので、各ディスプレイは、遠く離れたトランスミッタからワイヤを通すのではなく、隣接するディスプレイからのワイヤだけを必要とする。これを実現するため、シリアライザ／デシリアライザ（ＳｅｒＤｅｓ）技術が使用される。信号は、クロックと共にパラレルブロックとして発生し、トランスミッタ１２によって送信される前にシリアライズされる。シリアル信号は、その後、このシリアル信号がデシリアライズされるレシーバへ送信され、元のパラレルデータ及びクロックが再現される。クロック・クリーニング回路がその後ジッタを除去し、レシーバと関連付けられたディスプレイを駆動するために使用される。信号は、その後、再びシリアライズされ、デイジーチェイン内の次のレシーバへ送信される。この技術は、個別のワイヤを元のトランスミッタ１２へ戻すため通すことを必要とすることなく、多数のディスプレイを一緒に一列に並べるために使用することができる。多数の異なるタイプのケーブル（配線）を使用することができるが、ＣＡＴ  ５は、費用がかからず、そして、典型的な実施形態で使用することができる。この方法は、圧縮映像及び非圧縮映像の両方を用いて実施することができる。
【００２６】
当業者は、この点で映像データと共に音声データを送信するために実施形態を使用することがさらに可能である。１つずつの映像パケットと共に２つの音声パケットを送信することが有利であることがある。例えば、動的映像が３０ｆｐｓ（３０Ｈｚ）で送信されている場合、２つの６０Ｈｚ音声パケットを３０Ｈｚ映像パケットと共に組み込むことが有利なことがある。
【００２７】
この点で開示された実施形態は、発明の範囲を網羅すること、又は、不必要に限定することが意図されていない。実施形態は、当業者が本発明を実施できるように原理を説明するために選択され説明された。実施形態が図示され、かつ、説明されたので、等価的な物若しくは構造的配置の置換、又は、等価的なプロセスステップの使用などを通じて、本文及び教示内容が本明細書中に参照によって組み込まれた
請求項に反映されているような発明の主旨から逸れることなく発明を実施することができるように、変更又は変形を加えることは当業者の能力の範囲に入るであろう。従って、意図は、請求項の範囲及び請求項の均等物によってのみ示唆されるように発明を限定することである。
【図１】
2012504379.tif 000003
【図２】
2012504379.tif 000004
【図３】
2012504379.tif 000005
【国際調査報告】
2012504379.tif 000006
2012504379.tif 000007